(57)【要約】【課題】電力供給の復帰後に試験槽の内部の環境が乱れて試料に過度なストレスがかかる問題を抑制する。【解決手段】環境試験装置のコントローラは、電力供給の復帰後直ぐに（即ち、冷凍機が起動していない状態で）冷凍機以外の空調機器（加熱器や加湿器）を駆動させるのではなく、復帰後の試験条件が冷凍機の駆動が必要な試験条件であるか否かを判断し（Ｓ１）、復帰後の試験条件が冷凍機の駆動が必要な試験条件であると判断された場合は（Ｓ１：ＹＥＳ）、冷凍機が起動可能となるまで、冷凍機以外の空調機器（加熱器や加湿器）を駆動させず、冷凍機が起動可能となった後（Ｓ２：ＹＥＳ）、試験室の環境が設定された試験条件となるように少なくとも冷凍機を駆動させる（Ｓ３）。【選択図】図３
2018004376.tif 000002
【特許請求の範囲】
【請求項１】
内部に試料が配置される試験槽を備え、前記試験槽の内部の環境を予め設定された試験条件にして前記試料の環境試験を行う環境試験装置において、
前記試験槽の内部の冷却及び除湿の少なくとも一方を行う冷却／除湿機と、
前記試験槽の内部の冷却及び除湿とは異なる前記試験槽の内部の環境を調整する機能を有する空調機器とを備え、
前記冷却／除湿機及び前記空調機器は、電源からの電力供給を受けるものであり、
前記電力供給の停止後の前記電力供給の復帰を検出する復帰検出手段と、
前記復帰検出手段によって前記復帰が検出された後、前記復帰後の試験条件が前記冷却／除湿機の駆動が必要な試験条件であるか否かを判断する判断手段と、
前記判断手段によって前記復帰後の試験条件が前記冷却／除湿機の駆動が必要な試験条件であると判断された場合は、前記冷却／除湿機が起動するまで又は起動可能となるまで、前記空調機器を駆動させず、前記冷却／除湿機が起動した後又は起動可能となった後、前記試験槽の内部の環境が前記試験条件となるように少なくとも前記冷却／除湿機を駆動させる第１制御手段とをさらに備えたことを特徴とする、環境試験装置。
【請求項２】
前記判断手段によって前記復帰後の試験条件が前記冷却／除湿機の駆動が必要な試験条件でないと判断された場合は、前記冷却／除湿機が起動したか否か又は起動可能となったか否かに関わらず、少なくとも前記空調機器のうち前記試験槽の内部の環境を前記試験条件とするのに必要な空調機器を駆動させる第２制御手段をさらに備えたことを特徴とする、請求項１に記載の環境試験装置。
【請求項３】
前記試験槽の内部の温度及び湿度の少なくとも一方を測定する温度／湿度センサをさらに備え、
前記判断手段は、前記試験槽の内部の温度及び湿度の少なくとも一方において前記温度／湿度センサによって測定された測定値が、前記復帰後の試験条件における設定値よりも大きい場合に、前記復帰後の試験条件が前記冷却／除湿機の駆動が必要な試験条件であると判断することを特徴とする、請求項１又は２に記載の環境試験装置。
【請求項４】
前記試験槽の内部の温度及び湿度の少なくとも一方を測定する温度／湿度センサをさらに備え、
前記判断手段は、前記試験槽の内部の温度及び湿度の少なくとも一方において前記温度／湿度センサによって測定された測定値と、所定の偏差との和が、前記復帰後の試験条件における設定値よりも大きい場合に、前記復帰後の試験条件が前記冷却／除湿機の駆動が必要な試験条件であると判断することを特徴とする、請求項１又は２に記載の環境試験装置。
【請求項５】
前記第１制御手段は、前記復帰検出手段によって前記復帰が検出された後、所定の時間が経過したときに、前記冷却／除湿機が起動した又は起動可能となったと判断し、前記試験槽の内部の環境が前記試験条件となるように少なくとも前記冷却／除湿機を駆動させることを特徴とする、請求項１〜４のいずれか１項に記載の環境試験装置。
【発明の詳細な説明】
【技術分野】
【０００１】
本発明は、内部に試料が配置される試験槽を備え、試験槽の内部の環境を予め設定された試験条件にして試料の環境試験を行う環境試験装置に関する。
【背景技術】
【０００２】
環境試験装置においては、試験槽の内部の環境を調整する機能（冷却、除湿、加熱、加湿等の機能）を有する機器に対して電源から電力が供給されるが、停電等によって電源からの電力供給が停止されると、機器の駆動が停止される。停電等が解消されて電源からの電力供給が復帰された後の機器の駆動態様として、特許文献１（特許請求の範囲、第３図のステップ１０５〜１０７、第４図のステップ２０４，２０５）には、予め設定された復帰後の処理と停電発生時の試験の進行状況とに基づいて復帰後の処理を決定すること（例えば、運転時間又は試験ステップを再開条件として設定し、この再開条件と停電発生時の試験の進行状況とを比較して、運転再開か運転停止かを決定すること）が示されており、特許文献２（段落００３７）には、加湿器及び加熱器を駆動させ、温度を上昇させてから湿度を上昇させることが示されている。
【先行技術文献】
【特許文献】
【０００３】
【特許文献１】実開平４−８１０４３号公報
【特許文献２】特許第４５８５９７９号公報
【発明の概要】
【発明が解決しようとする課題】
【０００４】
ところで、冷却及び／又は除湿を行う冷却／除湿機は、電力供給の復帰後、直ぐに起動しない場合がある。特許文献１，２ではこのことが何ら考慮されておらず、このような場合に、復帰後直ぐに（即ち、冷却／除湿機が起動していない状態で）冷却／除湿機以外の空調機器（例えば、加熱器、加湿器等）を駆動させると、試験槽の内部の環境が乱れ、試料に過度なストレスがかかり得る。
【０００５】
本発明の目的は、電力供給の復帰後に試験槽の内部の環境が乱れて試料に過度なストレスがかかる問題を抑制可能な環境試験装置を提供することである。
【課題を解決するための手段】
【０００６】
本発明によると、内部に試料が配置される試験槽を備え、前記試験槽の内部の環境を予め設定された試験条件にして前記試料の環境試験を行う環境試験装置において、前記試験槽の内部の冷却及び除湿の少なくとも一方を行う冷却／除湿機と、前記試験槽の内部の冷却及び除湿とは異なる前記試験槽の内部の環境を調整する機能を有する空調機器とを備え、前記冷却／除湿機及び前記空調機器は、電源からの電力供給を受けるものであり、前記電力供給の停止後の前記電力供給の復帰を検出する復帰検出手段と、前記復帰検出手段によって前記復帰が検出された後、前記復帰後の試験条件が前記冷却／除湿機の駆動が必要な試験条件であるか否かを判断する判断手段と、前記判断手段によって前記復帰後の試験条件が前記冷却／除湿機の駆動が必要な試験条件であると判断された場合は、前記冷却／除湿機が起動するまで又は起動可能となるまで、前記空調機器を駆動させず、前記冷却／除湿機が起動した後又は起動可能となった後、前記試験槽の内部の環境が前記試験条件となるように少なくとも前記冷却／除湿機を駆動させる第１制御手段とをさらに備えたことを特徴とする、環境試験装置が提供される。
【０００７】
本発明によれば、電力供給の復帰後直ぐに（即ち、冷却／除湿機が起動していない状態で）冷却／除湿機以外の空調機器を駆動させるのではなく、復帰後の試験条件が冷却／除湿機の駆動が必要な試験条件であるか否かを判断し、復帰後の試験条件が冷却／除湿機の駆動が必要な試験条件であると判断された場合は、冷却／除湿機が起動するまで又は起動可能となるまで、冷却／除湿機以外の空調機器を駆動させず、冷却／除湿機が起動した後又は起動可能となった後、試験槽の内部の環境が前記試験条件となるように少なくとも冷却／除湿機を駆動させる。これにより、電力供給の復帰後に試験槽の内部の環境が乱れて試料に過度なストレスがかかる問題を抑制可能である。
【０００８】
本発明に係る環境試験装置は、前記判断手段によって前記復帰後の試験条件が前記冷却／除湿機の駆動が必要な試験条件でないと判断された場合は、前記冷却／除湿機が起動したか否か又は起動可能となったか否かに関わらず、少なくとも前記空調機器のうち前記試験槽の内部の環境を前記試験条件とするのに必要な空調機器を駆動させる第２制御手段をさらに備えてよい。上記構成によれば、冷却／除湿機が起動するまで又は起動可能となるまで待たずに冷却／除湿機以外の空調機器を駆動させることで、運転再開を早期に実現することができる。
【０００９】
本発明に係る環境試験装置は、前記試験槽の内部の温度及び湿度の少なくとも一方を測定する温度／湿度センサをさらに備え、前記判断手段は、前記試験槽の内部の温度及び湿度の少なくとも一方において前記温度／湿度センサによって測定された測定値が、前記復帰後の試験条件における設定値よりも大きい場合に、前記復帰後の試験条件が前記冷却／除湿機の駆動が必要な試験条件であると判断してよい。或いは、本発明に係る環境試験装置は、前記試験槽の内部の温度及び湿度の少なくとも一方を測定する温度／湿度センサをさらに備え、前記判断手段は、前記試験槽の内部の温度及び湿度の少なくとも一方において前記温度／湿度センサによって測定された測定値と、所定の偏差との和が、前記復帰後の試験条件における設定値よりも大きい場合に、前記復帰後の試験条件が前記冷却／除湿機の駆動が必要な試験条件であると判断してよい。上記構成によれば、復帰後の試験条件が前記冷却／除湿機の駆動が必要な試験条件であるか否かを、より実効的に判断することができる。
【００１０】
前記第１制御手段は、前記復帰検出手段によって前記復帰が検出された後、所定の時間が経過したときに、前記冷却／除湿機が起動した又は起動可能となったと判断し、前記試験槽の内部の環境が前記試験条件となるように少なくとも前記冷却／除湿機を駆動させてよい。上記構成によれば、冷却／除湿機が起動したか否か又は起動可能となったか否かをより実効的に判断して、電力供給の復帰後に試験槽の内部の環境が乱れて試料に過度なストレスがかかる問題を抑制可能である。
【発明の効果】
【００１１】
本発明によれば、電力供給の復帰後に試験槽の内部の環境が乱れて試料に過度なストレスがかかる問題を抑制可能である。
【図面の簡単な説明】
【００１２】
【図１】本発明の一実施形態に係る環境試験装置の概略構成を示す図である。
【図２】本発明の一実施形態に係る環境試験装置の電気的構成を示すブロック図である。
【図３】本発明の一実施形態に係る環境試験装置のコントローラが実行する復帰検出後の制御内容を示すフロー図である。
【発明を実施するための形態】
【００１３】
先ず、図１及び図２を参照し、本発明の一実施形態に係る環境試験装置１の構成について説明する。
【００１４】
環境試験装置１は、図１に示すように、内部１０ａに試料（各種材料、電子部品等）Ｍが配置される試験槽１０を備え、試験槽１０の内部１０ａの環境を予め設定された試験条件にして試料Ｍの環境試験を行うように構成されている。環境試験装置１は、例えば、電気電子、自動車、材料工学等の分野において、部品や材料の性能を検査するのに用いられる。
【００１５】
試験槽１０の内部１０ａは、仕切板１２によって２つの空間（試験室１０ａ１及び空調室１０ａ２）に分離されている。試験室１０ａ１及び空調室１０ａ２は、仕切板１２の上部開口１２ａ及び下部開口１２ｂを介して、互いに連通している。
【００１６】
試験室１０ａ１には、試料Ｍを支持する支持板１１、及び、試験室１０ａ１の温度及び湿度を測定する温湿度センサ３０が設けられている。
【００１７】
空調室１０ａ２には、送風機２１、加熱器２２、冷凍機２３の冷却器及び加湿器２４が設けられている。
【００１８】
加熱器２２は、空調室１０ａ２の加熱を行うものであり、例えばシーズヒータ等の電熱ヒータからなってよい。冷凍機２３は、空調室１０ａ２の冷却及び除湿を行うものであり、例えば蒸気圧縮冷凍機、スターリング冷凍機、ペルチェ素子、ヒートパイプ、ヒートレーン等からなってよい。加湿器２４は、空調室１０ａ２の加湿を行うものであり、容器内の水を内蔵ヒータで加熱して加湿を行うように構成されている。
【００１９】
送風機２１の駆動により、空調室１０ａ２において加湿器２４、冷凍機２３及び加熱器２２によって温度及び湿度を調整された空気は、上部開口１２ａを介して空調室１０ａ２から試験室１０ａ１に流入する。また、上部開口１２ａを介して試験室１０ａ１に流入した空気は、試験室１０ａ１において上部から下方に移動し、下部開口１２ｂを介して空調室１０ａ２に流入する。このようにして、試験室１０ａ１と空調室１０ａ２とにおいて空気が循環する。
【００２０】
環境試験装置１は、さらに、コントローラ１ｃを備えている。
【００２１】
コントローラ１ｃは、図２に示すように、電源１ｐ、送風機２１、加熱器２２、冷凍機２３及び加湿器２４と電気的に接続されており、これら各部を制御するものであって、ＣＰＵ（Central Processing Unit）、ＲＯＭ（Read Only Memory）、ＲＡＭ（Random Access Memory）等で構成されている。コントローラ１ｃは、ＣＰＵ、ＲＯＭ、ＲＡＭ等の組合せにより、後に詳述するように、本発明に係る「復帰検出手段」「判断手段」「第１制御手段」「第２制御手段」として機能する。
【００２２】
電源１ｐは、コントローラ１ｃ、送風機２１、加熱器２２、冷凍機２３及び加湿器２４に電力を供給するものである。換言すると、送風機２１、加熱器２２、冷凍機２３及び加湿器２４は、電源１ｐからの電力供給を受けるものである。電源１ｐは、商用電源、自家発電源、蓄電池電源等からなってよい。
【００２３】
電源１ｐによる電力供給が停止されると（例えば、電源１ｐが商用電源である場合に停電が生じたり、電源１ｐが自家発電源又は蓄電池電源である場合に電源１ｐに蓄えられた電力が枯渇したりすると）、コントローラ１ｃ、送風機２１、加熱器２２、冷凍機２３及び加湿器２４の駆動が停止される。コントローラ１ｃは、電源１ｐの状態を監視し、電源１ｐによる電力供給が停止された後に電力供給が復帰したこと（例えば、電源１ｐが商用電源である場合には停電の解消、電源１ｐが自家発電源又は蓄電池電源である場合には電源１ｐに蓄えられた電力の回復）を検出する。即ち、コントローラ１ｃは、本発明に係る「復帰検出手段」として機能する。コントローラ１ｃは、電力供給の復帰を検出すると、図３に示すような制御を実行する。
【００２４】
先ず、コントローラ１ｃは、復帰後の試験条件が冷凍機２３の駆動が必要な試験条件であるか否かを判断する（Ｓ１）。即ち、コントローラ１ｃは、本発明に係る「判断手段」として機能する。
【００２５】
具体的には、コントローラ１ｃは、試験室１０ａ１の温度及び湿度の少なくとも一方において温湿度センサ３０によって測定された測定値ＰＶ（Present Value）が、復帰後の試験条件における設定値ＳＶ（Setting Value）よりも大きい場合に、復帰後の試験条件が冷凍機２３の駆動が必要な試験条件である（Ｓ１：ＹＥＳ）と判断する。或いは、コントローラ１ｃは、試験室１０ａ１の温度及び湿度の少なくとも一方において温湿度センサ３０によって測定された測定値ＰＶ（Present Value）と、所定の偏差との和が、復帰後の試験条件における設定値ＳＶ（Setting Value）よりも大きい場合に、復帰後の試験条件が冷凍機２３の駆動が必要な試験条件である（Ｓ１：ＹＥＳ）と判断する。
【００２６】
例えば、試験室１０ａ１の温度の測定値ＰＶが１００℃（所定の偏差が５℃）であって、復帰後の試験条件における試験室１０ａ１の温度の設定値ＳＶが６０℃（４０分間で１分毎に１℃下げる）（湿度制御なし）の場合や、試験室１０ａ１の温度の測定値ＰＶが１００℃（所定の偏差が５℃）・試験室１０ａ１の湿度の測定値ＰＶが９０％ＲＨであって、復帰後の試験条件における試験室１０ａ１の温度の設定値ＳＶが３０℃・試験室１０ａ１の湿度の設定値ＳＶが８０％ＲＨの場合、復帰後の試験条件が冷凍機２３の駆動が必要な試験条件である（Ｓ１：ＹＥＳ）と判断される。
【００２７】
また、例えば、試験室１０ａ１の温度の測定値ＰＶが１００℃（所定の偏差が５℃）であって、復帰後の試験条件における試験室１０ａ１の温度の設定値ＳＶが１２０℃（湿度制御なし）の場合、復帰後の試験条件が冷凍機２３の駆動が必要な試験条件でない（Ｓ１：ＮＯ）と判断される。
【００２８】
コントローラ１ｃは、復帰後の試験条件が冷凍機２３の駆動が必要な試験条件であると判断した場合（Ｓ１：ＹＥＳ）、冷凍機２３が起動可能となったか否かを判断する（Ｓ２）。具体的には、例えば、コントローラ１ｃは、電力供給の復帰が検出された後の経過時間をタイマーにより計測し、当該経過時間が所定の時間となったときに、冷凍機２３が起動可能となった（Ｓ２：ＹＥＳ）と判断する。
【００２９】
電力供給の復帰後どの程度の時間が経過したときに冷凍機２３が起動可能となるか（即ち、上記「所定の時間」）は、冷凍機２３の種類等によって異なる。例えば、一元冷凍機の場合、冷凍機２３は、電源１ｐのスイッチのＯＮ／ＯＦＦに応じて起動／停止する一方、コントローラ１ｃの制御により停止された後は、電源１ｐのスイッチをＯＮにして電源供給を復帰させても、所定の時間（３分、５分等）が経過しない限り起動しない（コントローラ１ｃの制御により停止された後、所定の時間が経過していれば、電源１ｐのスイッチをＯＮにすれば起動する）ものであってよい。二元冷凍機の場合、冷凍機２３の高温側圧縮機は上記一元冷凍機と同様の動作をし、冷凍機２３の低温側圧縮機は上記一元冷凍機と同時に又は上記一元冷凍機の起動から所定の時間経過後に起動してよい。また、電力供給の停止から復帰までの時間間隔が短い場合と長い場合とで上記「所定の時間」が異なるものや、上記時間間隔によらず上記「所定の時間」が一定のものもある。
【００３０】
コントローラ１ｃは、冷凍機２３が起動可能となっていないと判断した場合（Ｓ２：ＮＯ）、当該処理Ｓ２を繰り返す。
【００３１】
コントローラ１ｃは、冷凍機２３が起動可能となったと判断した場合（Ｓ２：ＹＥＳ）、試験室１０ａ１の環境が設定された試験条件となるように、送風機２１、加熱器２２、冷凍機２３及び加湿器２４を適宜駆動させる（Ｓ３）。即ち、コントローラ１ｃは、本発明に係る「第１制御手段」として機能する。
【００３２】
一方、コントローラ１ｃは、復帰後の試験条件が冷凍機２３の駆動が必要な試験条件でないと判断した場合（Ｓ１：ＮＯ）、Ｓ２の処理をスキップして（即ち、冷凍機２３が起動可能となったか否かに関わらず）、試験室１０ａ１の環境が設定された試験条件となるように、送風機２１、加熱器２２、冷凍機２３及び加湿器２４を適宜駆動させる（Ｓ３）。即ち、コントローラ１ｃは、本発明に係る「第２制御手段」として機能する。
【００３３】
なお、Ｓ３では、起動可能となっていない空調機器（例えば冷凍機２３）や駆動が必要でない機器は、駆動されない。
【００３４】
以上に述べたように、本実施形態によれば、コントローラ１ｃは、電力供給の復帰後直ぐに（即ち、冷凍機２３が起動していない状態で）冷凍機２３以外の空調機器（加熱器２２や加湿器２４）を駆動させるのではなく、復帰後の試験条件が冷凍機２３の駆動が必要な試験条件であるか否かを判断し（Ｓ１）、復帰後の試験条件が冷凍機２３の駆動が必要な試験条件であると判断された場合は（Ｓ１：ＹＥＳ）、冷凍機２３が起動可能となるまで、冷凍機２３以外の空調機器（加熱器２２や加湿器２４）を駆動させず、冷凍機２３が起動可能となった後（Ｓ２：ＹＥＳ）、試験室１０ａ１の環境が設定された試験条件となるように少なくとも冷凍機２３を駆動させる（Ｓ３）。これにより、電力供給の復帰後に試験室１０ａ１の環境が乱れて試料Ｍに過度なストレスがかかる問題を抑制可能である。
【００３５】
コントローラ１ｃは、復帰後の試験条件が冷凍機２３の駆動が必要な試験条件でないと判断した場合（Ｓ１：ＮＯ）、Ｓ２の処理をスキップして（即ち、冷凍機２３が起動可能となったか否かに関わらず）、少なくとも冷凍機２３以外の空調機器のうち試験室１０ａ１の環境を設定された試験条件とするのに必要な空調機器（加熱器２２や加湿器２４）を駆動させる。上記構成によれば、冷凍機２３が起動可能となるまで待たずに冷凍機２３以外の空調機器（加熱器２２や加湿器２４）を駆動させることで、運転再開を早期に実現することができる。
【００３６】
コントローラ１ｃは、試験室１０ａ１の温度及び湿度の少なくとも一方において温湿度センサ３０によって測定された測定値ＰＶ（Present Value）が、復帰後の試験条件における設定値ＳＶ（Setting Value）よりも大きい場合に、復帰後の試験条件が冷凍機２３の駆動が必要な試験条件である（Ｓ１：ＹＥＳ）と判断する。或いは、コントローラ１ｃは、試験室１０ａ１の温度及び湿度の少なくとも一方において温湿度センサ３０によって測定された測定値ＰＶ（Present Value）と、所定の偏差との和が、復帰後の試験条件における設定値ＳＶ（Setting Value）よりも大きい場合に、復帰後の試験条件が冷凍機２３の駆動が必要な試験条件である（Ｓ１：ＹＥＳ）と判断する。上記構成によれば、電力供給復帰後の試験条件が冷凍機２３の駆動が必要な試験条件であるか否かを、より実効的に判断することができる。
【００３７】
コントローラ１ｃは、電力供給の復帰が検出された後、所定の時間が経過したときに、冷凍機２３が起動可能となった（Ｓ２：ＹＥＳ）と判断し、試験室１０ａ１の環境が設定された試験条件となるように少なくとも冷凍機２３を駆動させる（Ｓ３）。上記構成によれば、冷凍機２３が起動可能となったか否かをより実効的に判断して、電力供給の復帰後に試験室１０ａ１の環境が乱れて試料Ｍに過度なストレスがかかる問題を抑制可能である。
【００３８】
以上、本発明の好適な実施の形態について説明したが、本発明は上述の実施形態に限られるものではなく、特許請求の範囲に記載した限りにおいて様々な設計変更が可能なものである。
【００３９】
・冷却／除湿機として、上述の実施形態では試験槽の内部の冷却及び除湿の両方を行う冷凍機を設けているが、試験槽の内部の冷却のみ又は除湿のみを行う機器を設けてもよい。
・空調機器として、上述の実施形態では試験槽の内部の加熱を行う加熱器及び試験槽の内部の加湿を行う加湿器を設けているが、これに限定されず、試験槽の内部の冷却及び除湿とは異なる試験槽の内部の環境を調整する機能を有する任意の機器を設けてもよい。
・温度／湿度センサとして、上述の実施形態では試験槽の内部の温度及び湿度の両方を測定する温湿度センサを設けているが、試験槽の内部の温度のみ又は湿度のみを測定するセンサを設けてもよい。
・判断手段は、温度／湿度センサによって測定された測定値を用いずに、復帰後の試験条件が冷却／除湿機の駆動が必要な試験条件であるか否かを判断してもよい。
・冷却／除湿機が起動可能となったか否かを、時間に基づいて判断することに限定されず、時間以外の任意の項目に基づいて判断してもよい。
・冷却／除湿機が起動可能となったか否かではなく、冷却／除湿機が実際に起動したか否かを判断してもよい。
【符号の説明】
【００４０】
１  環境試験装置
１ｃ  コントローラ（復帰検出手段、判断手段、第１制御手段、第２制御手段）
１ｐ  電源
１０  試験槽
１０ａ  内部
１０ａ１  試験室
１０ａ２  空調室
１１  支持板
１２  仕切板
１２ａ  上部開口
１２ｂ  下部開口
２１  送風機
２２  加熱器（空調機器）
２３  冷凍機（冷却／除湿機）
２４  加湿器（空調機器）
３０  温湿度センサ（温度／湿度センサ）
Ｍ  試料
【図１】
2018004376.tif 000003
【図２】
2018004376.tif 000004
【図３】
2018004376.tif 000005